(57)【要約】【課題】プレキャストコンクリート部材の現場接合作業において、梁主筋を迅速かつ確実に接合する。【解決手段】  鉄筋継手カプラー１０であって、ねじ節鉄筋からなる接合鉄筋と螺合可能な雌ねじ部分が形成された小径部１２と、雌ねじ部分の内径より大きな内径を有し、他の接合鉄筋を遊嵌可能な大径部１１とを備える。大径部１１は、小径部１２に近い側にグラウト充填孔１４が形成され、収容される他の接合鉄筋を挟んでグラウト充填孔１４の反対面にグラウト排出孔１５が形成されている。【選択図】  図１
2018178365.tif 000002
【特許請求の範囲】
【請求項１】
ねじ節鉄筋からなる一の接合鉄筋と螺合可能な雌ねじが形成された鉄筋保持部と、該雌ねじ部の内径より大きな内径を有し、他の接合鉄筋を遊嵌可能な鉄筋収容部とを備えたことを特徴とする鉄筋継手カプラー。
【請求項２】
前記鉄筋収容部は、前記鉄筋保持部に近い側にグラウト充填孔が形成され、収容される前記他の接合鉄筋を挟んで前記グラウト充填孔の反対面にグラウト排出孔が形成された請求項１に記載の鉄筋継手カプラー。
【請求項３】
前記鉄筋収容部は、前記鉄筋継手カプラーが螺合部での回転により前記一の接合鉄筋に対して移動した際の移動位置を視認可能なマーキングが外周面の一部に付された請求項１に記載の鉄筋継手カプラー。
【請求項４】
前記鉄筋保持部と前記鉄筋収容部との長さの比がおよそ１：３〜４である請求項１に記載の鉄筋継手カプラー。
【請求項５】
前記鉄筋収容部は、内周面が開口端にかけて内径が小さくなるテーパ面である請求項１に記載の鉄筋継手カプラー。
【請求項６】
前記鉄筋保持部は、グラウト連通溝が内周面に軸方向に沿って形成された請求項１に記載の鉄筋継手カプラー。
【発明の詳細な説明】
【技術分野】
【０００１】
本発明は鉄筋継手カプラーに係り、建築物の躯体を構成するプレキャストコンクリート部材からなる梁の接合時に主筋を迅速かつ確実に接合できるようにした鉄筋継手カプラーに関する。
【背景技術】
【０００２】
従来、鉄筋コンクリート柱、梁からなるラーメン架構をプレキャストコンクリート部材で構成する場合、柱梁接合部、梁同士の接合部において一体的なラーメン架構を構築するためには、鉄筋とコンクリートの両者を剛接合する必要がある。特に梁部材の接合部において、鉄筋の接合を重ね継手や機械式継手にすると、コンクリート部分は、施工性を考慮して所定の継手長さ以上の範囲にわたる現場打ち作業が必要となる。この現場打ちコンクリート作業では配筋工事、型枠工事、コンクリート打設工事、及び脱型工事等の一連の工事が発生するため、プレキャストコンクリート部材を用いた施工迅速化のメリットが減じてしまうという問題がある。
【０００３】
上述したような接合部コンクリートの現場打ち作業を省力化できる接合部構造として、特許文献２が提案されている。特許文献２に開示された発明は梁の接合端部の側面に、内部にスリーブ継手全体を収容可能な外管を配置し、外管の内部に対峙する接合鉄筋の端部同士を露出させ、一方の鉄筋にスリーブ継手を装着しておき、梁を組み合わせ、接合鉄筋を対峙させた状態でスリーブ継手を外管内から対峙する接合鉄筋間を跨ぐ位置まで移動し、その外管内にグラウトを充填して梁接合部を一体化させる構成からなる。
【０００４】
この特許文献１に開示された発明では、スリーブ継手を外管内から梁接合位置まで移動させるために、紐状体をスリーブ継手の管奥部側に取り付けておき、紐状体を梁外から操作することでスリーブ継手を外管から引き出すようになっている。この引きだし操作を実現するために、スリーブ継手の内径は接合鉄筋の直径に比べて十分に大きくして接合鉄筋との間に十分なクリアランスを設けて接合鉄筋を遊嵌させておく必要がある。しかし、スリーブ継手の内周面と接合鉄筋との間のクリアランスが大きいとスリーブ継手の芯出しができず、対峙した接合鉄筋にスリーブ継手を挿入する際の位置決めが困難になるおそれがある。
【先行技術文献】
【特許文献】
【０００５】
【特許文献１】特開２００８−６９５９１号公報
【特許文献２】特開２００８−６３７３０号公報
【発明の概要】
【発明が解決しようとする課題】
【０００６】
スリーブ継手の芯出しを確実に行えるようにした先行技術が特許文献２に開示されている（以下の符号は特許文献２に拠る。）。特許文献２の図９に開示された先行技術には、柱主筋となる２本の鉄筋３１Ａ，３１Ｂを上下に連結するために、ねじ定着部３２とモルタル定着部３３とを有したハーフスリーブ３４と、一方の鉄筋３１Ａをスリーブに固定するロックナット３５とが使用される。ねじ定着部３２の内面には図示したようなねじふし鉄筋（鉄筋３１Ａ）、ロックナット３５と螺合可能な雌ねじが形成されている。
【０００７】
このハーフスリーブ３４は、柱主筋等のように、立設される鉄筋自体の接合作業の合理化を図ることを目的として、ねじふし鉄筋（鉄筋３１Ａ）の端部にロックナット３５を用いて固定され鉄筋接合に使用される構成からなり、特許文献１が解決しようとした、梁接合部での現場打ちコンクリート作業についての従来技術の問題点を解決することを意図していない。
【０００８】
そこで、本発明の目的は上述した従来の技術が有する問題点を解消し、プレキャストコンクリート梁部材の接合作業に本発明の鉄筋継手カプラーを用いることで梁主筋の接合作業の合理化を図ることができるようにすることにある。
【課題を解決するための手段】
【０００９】
上記目的を達成するために、本発明は、ねじ節鉄筋からなる一の接合鉄筋と螺合可能な雌ねじが形成された鉄筋保持部と、該雌ねじ部の内径より大きな内径を有し、他の接合鉄筋を遊嵌可能な鉄筋収容部とを備えたことを特徴とする。
【００１０】
本発明において、前記鉄筋収容部は、前記鉄筋保持部に近い側にグラウト充填孔が形成され、収容される前記他の接合鉄筋を挟んで前記グラウト充填孔の反対面にグラウト排出孔１５が形成されるようにすることが好ましい。
【００１１】
また、前記鉄筋収容部は、前記鉄筋継手カプラーが螺合部での回転により前記一の接合鉄筋に対して移動した際の移動位置を視認可能なマーキングが外周面の一部に付されるようにすることが好ましい。
【００１２】
さらに、前記鉄筋保持部と前記鉄筋収容部との長さの比がおよそ１：３〜４とすることが好ましい。
【００１３】
前記鉄筋収容部は、内周面が開口端にかけて内径が小さくなるテーパ面とすることが好ましい。
【００１４】
前記鉄筋保持部は、グラウト連通溝が内周面に軸方向に沿って形成されることが好ましい。
【発明の効果】
【００１５】
本提案によれば、従来のプレキャストコンクリート梁部材の接合作業において、接合部における型枠工事と鉄筋工事を大幅に省略できるため、作業の合理化を図ることができるという効果を奏する。
【図面の簡単な説明】
【００１６】
【図１】本発明の一実施形態としての鉄筋継手カプラーの構成を示した正面図、各部断面図。
【図２】図１の鉄筋継手カプラーの梁接合部での使用状態を示した断面図。
【図３】図１の鉄筋継手カプラーの梁接合部での接合手順及び接合状態を示した状態説明図。
【図４】図１の鉄筋継手カプラーの着色部によるカプラー位置の視認例を示した説明図。
【図５】図４の鉄筋継手カプラーの他の実施形態における接合状態を示した説明図。
【図６】本発明の鉄筋継手カプラーの他の実施形態の内部構成を示した断面図。
【図７】図６の鉄筋継手カプラー内での応力伝達状態を模式的に示した部分拡大断面図。
【発明を実施するための形態】
【００１７】
以下、本発明の鉄筋継手カプラーの構成について、添付図面を参照して説明する。
［鉄筋継手カプラーの構成］
図１各図は、本発明の鉄筋継手カプラー１０の外観および各部の構成を示している。図２各図は、図１（ａ）に示した鉄筋継手カプラー１０で梁主筋としての接合鉄筋２１，２２を収容した状態、すなわち、図２（ａ）は鉄筋継手カプラー１０内での接合鉄筋２２の収容状態を示し、図２（ｂ）は相対する梁間のクリアランス１と鉄筋継手カプラー１０内とにグラウトＧが充填され、梁接合が完了した状態を示している。
【００１８】
本発明の一実施形態としての鉄筋継手カプラー１０は、図１（ａ）にその外観形状を示したように、２種類の外径を有する円筒形状からなり、本実施形態では、大径部（外径の大きな筒状部）と小径部１２（外径の小さな筒状部）の長さの比（ｄ１：ｄ２）はおよそ３：１となっている。図１（ｂ）は鉄筋継手カプラー１０の鉛直断面を示している。同図に示したように、大径部１１は滑らかな内周面を有する円筒形状からなる。この内部空間１３に梁部材Ｂ（たとえば図２（ｂ）参照）梁主筋２１の鉄筋端部（以下、接合鉄筋２１と記す。）が所定長だけ挿入される（図２（ａ））。このとき大径部１１の内部空間１３の内周面と接合鉄筋２１とのクリアランス１３ａが十分確保され遊嵌されているため、接合鉄筋２１が芯ずれ、軸方向のずれを伴う場合も対応することができる。
【００１９】
大径部１１の外周面のほぼ中央部の下端にはグラウトＧの充填孔１４が形成された突起部１６が設けられ、端部の接合鉄筋２１を挟んで充填孔１４と反対側の上端にはグラウトＧの排出孔１５が形成された突起部１６が設けられている。これら充填孔１４と排出孔１５とは、図１（ｂ）、（ｃ）に示したように、同一平面内で上下の関係になるように配置されている。このため、下側の充填孔１４から鉄筋継手カプラー１０の内部空間１３に充填されたグラウトＧは、図２（ｂ）に示したように、収容された接合鉄筋２１の上面まで確実に充填された後、余剰分が内部空間１３の上側に位置する排出孔１５から排出される。また接合鉄筋２１が挿入される開口端にはシールパッキン１７が装着されており、グラウトＧが開口端から漏れるを防止することができる。充填孔１４と排出孔１５を構成する突起部１６の配置は、図１（ｆ）に示したように、充填孔１４が大径部１１の外周面の側面に位置し、排出孔１５が充填孔１４と９０°の角度をなして設けられるようにしてもよい。このように、大径部１１に収容された接合鉄筋は、図２（ｂ）に示したように、鉄筋継手カプラー１０内に充填されたグラウトＧにより十分な接合強度を備えたグラウトＧ充填継手として機能する。
【００２０】
鉄筋継手カプラー１０の大径部１１の外周面の所定位置には帯状のマーキング部１８が設けられている。このマーキング部１８は本実施形態では、たとえば黄色等の視認性の高い色相や蛍光色等の塗装からなり、図４各図を参照して後述するように、梁部材Ａ，Ｂの接合鉄筋２１，２２を接合する際に、接合鉄筋２１，２２が鉄筋継手カプラー１０内に適正量挿入されているかを、梁間のクリアランス１を覗いて確認するために用いられる。
【００２１】
一方、小径部１２の内周面には、図１（ｂ）、（ｄ）に示したように、雌ねじ部１２ａが形成されている。この雌ねじ部１２ａは、接合鉄筋２２として使用されているねじ節鉄筋の雄ねじ２２ａと螺合可能なねじ山形状、リード等の仕様からなる。鉄筋継手カプラー１０は、図２（ａ）に示したように、ねじ節鉄筋からなる接合鉄筋２２の先端位置に螺合することで接合鉄筋２２に保持されている。また、図１（ｂ）、（ｄ）、（ｅ）に示したように、雌ねじ部１２ａの内周面頂部には軸方向に沿ったグラウト連通溝としての角溝１９が形成されている。この角溝１９は大径部１１の内部空間と小径部１２の開放端とを連通するように形成されている。上述したようにグラウトＧが充填孔１４から充填された際（図２（ｂ））、この角溝１９を通じてグラウトＧが小径部１２の接合鉄筋２２のねじ部分の隙間に浸透されるとともに開口端に排出されるので、鉄筋継手カプラー１０に螺合された接合鉄筋２２は、ねじ部分の隙間に充填されたグラウトＧによって、鉄筋継手カプラー１０により強固に接合される。
【００２２】
ここで、本発明の鉄筋継手カプラー１０を用いて梁接合を行う作業手順について、図３（ａ）〜（ｄ）を参照して説明する。図３（ａ）は、梁部材Ａの端面に形成された、奥部の内径が開口端の内径よりわずかに小さい略円錐台形状からなる凹所２内に、接合鉄筋２２に螺合された鉄筋継手カプラー１０の全体が収容された状態を示している。凹所２内に突出した接合鉄筋２２の端部は凹所２の開口端付近まで延在している（図２（ｂ））。この状態から図３（ｂ）に示したように、梁部材Ｂを、すでに梁設置位置に吊り込まれた梁部材Ａの接合端面と所定のクリアランス１をあけた位置に吊り下ろす。梁部材Ｂの接合端面には、梁部材Ａの凹所２より奥行き深さの短いほぼ同形の凹所３が形成され、上述したように、接合鉄筋２１の端部が開口端付近まで延在している。この状態から梁間のクリアランス１に梁外側から回転治具（図示せず）や手を挿入して鉄筋継手カプラー１０を回転させることで、鉄筋継手カプラー１０を梁部材Ａ側の凹所２に収容された状態から、マーキング部１８がクリアランス１から視認できる位置まで梁部材Ｂ側の凹所３内に移動させる。このとき鉄筋継手カプラー１０の内部において、梁部材Ａ，Ｂの接合鉄筋２１，２２は図２（ａ）に示した位置状態にある。その後、鉄筋継手カプラー１０の充填孔１４を利用してカプラー１０内にグラウトＧを充填し、その後梁部材Ａ，Ｂの凹所２，３内と梁間のクリアランス１とにグラウトＧを充填して梁部材Ａ，Ｂの接合作業を完了させる。
【００２３】
図４各図は、鉄筋継手カプラー１０内に収容された接合鉄筋２１，２２の挿入状態を、梁間のクリアランス１の位置で鉄筋継手カプラー１０の外周面に施されたマーキング部１８を視認することで判断する方法についての説明図である。図４（ａ）は鉄筋継手カプラー１０が梁部材Ａ内部から移動し、その一部（本実施形態ではカプラー全長の１／２以上に達する。）が梁部材Ｂ内に収容された状態を示している。図４（ｂ）は、（ａ）の状態における鉄筋継手カプラー１０内部の接合鉄筋２１，２２の挿入状態を示した鉄筋継手カプラー１０の断面図である。この状態は図３（ｃ）の状態に相当する。鉄筋継手カプラー１０は、梁部材側に移動する前、図３（ｂ）に示したように、その全長が梁部材Ａの凹所２内に挿入されている。この状態から鉄筋継手カプラー１０を梁部材Ｂの凹所に向けて移動させ、接合鉄筋２１が鉄筋継手カプラー１０内に収容されるようにする。このとき鉄筋継手カプラー１０を梁間のクリアランス１から視認した際に、マーキング部１８の一部が欠けて見える場合がある。
【００２４】
図４（ｃ）に示した例は、梁部材Ａの接合鉄筋２２の鉄筋継手カプラー１０内への挿入量が不足した状態である。梁部材Ａの接合鉄筋２２はねじ部に螺合されている部分とグラウトＧが充填される部分とを合わせてカプラーの付着強度が確保されるようになっているので、グラウトＧの充填部分の挿入量が不足した場合、鉄筋継手カプラー１０としての付着強度が確保できないおそれがある。また同図（ｄ）の場合、梁部材Ｂの接合鉄筋の挿入量が不足した状態にある。梁部材Ｂの接合鉄筋２１はすべてグラウトＧが充填されカプラーの付着抵抗が確保されるようになっているため、接合鉄筋２１の挿入量が不足した場合、鉄筋継手カプラー１０としての付着強度は明らかに不足する。このように鉄筋継手カプラー１０の所定位置に視認可能なマーキング部１８が付されたことで、鉄筋継手カプラー１０による適切な鉄筋接合が図られる。
【００２５】
図５はマーキング部１８の変形例を示している。梁間のクリアランス１から鉄筋継手カプラー１０の状態が視認しやすい場合には、同図に示したように、鉄筋継手カプラー１０の外周面に所定長さの直線溝等を付すようにしてもよい。また溝内に着色を施すことで視認性をより高めることができる。
【００２６】
図６各図は、本発明の他の実施形態として、鉄筋継手カプラー３０の大径部３１の内周面をテーパ面とした構成を示している。図６（ａ）に示したように、大径部３１の内部空間３３を開口端の内径が奥部の内径より小さいテーパ形状とすることにより、図７に示したように、鉄筋継手カプラー３０内に挿入された接合鉄筋２１の周囲にグラウトＧが充填され硬化した接合状態において、接合鉄筋２１に引張力Ｔが生じた際にグラウトＧと鉄筋との間の付着抵抗、せん断抵抗に加え、グラウトＧを伝達したせん断力がテーパ面３３ａに圧縮力として作用し、テーパ面３３ａでの圧縮抵抗が期待できる。このため接合鉄筋２１の必要継手長を従来のせん断抵抗型に比べて短くすることができる。また継手剛性も向上するため、機械式継手の性能分類としてＡ級継手として扱うことができる。
【００２７】
図６（ｂ）に示したように、鉄筋の対向位置から２方向にテーパ面３３ａ，３３ｂを形成するようにしても良い。この場合、外周面も内部空間に倣ってテーパ面３３ｃ，３３ｄとすることで、部品の軽量化を図ることができる。またテーパ面３３ｃ，３３ｄの向きが切り替わる頂部（稜線）３４が形成されることになるので、この部分を上述したマーキング部として利用することもできる。
【００２８】
本発明は上述した実施形態に限定されるものではなく、各請求項に示した範囲内での種々の変更が可能である。すなわち、請求項に示した範囲内で適宜変更した技術的手段を組み合わせて得られる実施形態も、本発明の技術的範囲に含まれる。
【符号の説明】
【００２９】
１  クリアランス
２，３  凹所
１０，３０  鉄筋継手カプラー
１１  大径部
１２  小径部
１４  充填孔
１５  排出孔
１８  マーキング部
１９  角溝
２１，２２  接合鉄筋
【図１】
2018178365.tif 000003
【図２】
2018178365.tif 000004
【図３】
2018178365.tif 000005
【図４】
2018178365.tif 000006
【図５】
2018178365.tif 000007
【図６】
2018178365.tif 000008
【図７】
2018178365.tif 000009